(57)【要約】【課題】メダル受け皿からメダル収容箱にメダルを移し替えやすくする。【解決手段】  スロットマシン１０は、絵柄を描かれた回転可能な複数の回胴リールと、該回胴リールの回転によって絵柄が揃ったとき本体から排出されたメダルを受けるメダル受け皿３１とを備え、メダル受け皿３１は、底板３４、両側板３５，３６及びメダルが排出される排出部３８を形成された前板３７と、排出部３８を昇降開閉可能に前板３７に設けた開閉板３９と、開閉板３９を上方に付勢する板ばね４０と、開閉板３９に設けたメダルを収納するメダル収容箱が係止される突片４１と、を備え、開閉板３９は、突片４１にメダル収容箱が係止された状態で板ばね４０に抗して下降し排出部３８を開口するようになっている。【選択図】      図３
2005211156.tif 000002
【特許請求の範囲】
【請求項１】
絵柄を描かれた回転可能な複数の回胴体と、該回胴体の回転によって前記絵柄が揃ったとき本体から排出されたメダルを受けるメダル受け皿とを備えた遊技機において、
前記メダル受け皿は、
底板、両側板及び前記メダルが排出される排出部を形成された前板と、
前記排出部を昇降開閉可能に前記前板に設けた開閉板と、
前記開閉板を上方に付勢する付勢手段と、
前記開閉板に設けた前記メダルを収納するメダル収容箱が係止される被係止片と、を備え、
前記開閉板は、前記被係止片に前記メダル収容箱が係止された状態で前記付勢手段に抗して下降し前記排出部を開口することを特徴とする遊技機。
【請求項２】
前記被係止片は、前記開閉板の厚みの範囲内に設けた突片であることを特徴とする請求項１に記載の遊技機。
【請求項３】
前記被係止片は、前記前板の前面に対して出没回転可能に設けた回動片からなり、
前記開閉板が上昇位置にいるとき前記回動片を出没回転させることが可能な回動手段と、
前記回動片の突出状態を前記開閉板の下降によって保持する保持手段と、を備え、
前記開閉板は、前記前板の前面から突出した前記回動片に前記メダル収容箱が係止された状態で前記付勢手段に抗して下降し前記排出部を開口することを特徴とする請求項１に記載の遊技機。
【請求項４】
前記排出部は、前記前板の上端部に形成されていることを特徴とする請求項１ないし３のいずれか１項に記載の遊技機。
【発明の詳細な説明】
【技術分野】
【０００１】
本発明は、スロットマシン等の遊技機に関し、特に、メダルをメダル受け皿からメダル収容箱に移し替えやすくした遊技機に関する。
【背景技術】
【０００２】
一般に、遊技機、例えばスロットマシンは、遊戯者がスタートレバーを操作すると、複数種類の絵柄からなるシンボルマークを外周回転方向に多数描かれた横３列の回動体である回胴リールが各々回転を開始し、その後、遊技者が適宜のタイミングで３個のストップボタンを各々押すと、その押したタイミングに応じて、各ボタンに対応する回胴リールが順次停止して、各回胴リールに備えたシンボルマークの内、所定の絵柄同士が一致している場合に、「当たり」となって、多数枚の遊技メダル（以下、単に「メダル」とも言う）をメダル受け皿に排出するようになっている（例えば、特許文献１参照）。
【０００３】
【特許文献１】特開２００３−２７５３７２号公報（図１乃至図３参照）
【発明の開示】
【発明が解決しようとする課題】
【０００４】
ところで、メダル受け皿は、比較的小さく形成してある。その理由として、スロットマシンが多数台配備された遊技店では、複数台が並ぶ各列を複数列平行に配置するとともに、遊技店内のスペースを有効利用してできるだけ多くのスロットマシンを配備してあること、スロットマシンから払い出される遊技メダルが見かけ上、多いように見せかけて、店のサービスをアピールすること等が挙げられる。
【０００５】
一方、近年のスロットマシンは、遊技中、ビッグボーナスと呼ばれる特別役に１回当たると、例えば、約３５０枚ないし約４００枚の遊技メダルを排出するようになっている。このような、ビッグボーナスに連続して当たった場合、上述したような比較的小さなメダル受け皿では、排出された多数枚の遊技メダルで直ぐに満杯になり、メダルがメダル受け皿から溢れ出て床に散らばるおそれがある。このような場合、遊技者は、遊技メダルがメダル受け皿から溢れ出ない内に、メダルをメダル収容箱（いわゆる、ドル箱）に移し替えていた。メダルの移し替えは、メダル収容箱を一方の手で把持しながら、他方の手でメダル受け皿内のメダルをメダル受け皿の前板を越えてメダル収容箱に掻き出して移し替えるという動作を頻繁に行う必要があり、移し替えに手間がかかるとともに、その遊技を中断しなければならなかった。
【０００６】
また、メダル収容箱は、一般に約１０００枚しか収容することができないため、ビッグボーナスの連続当選時等には、比較的短時間で満杯になりやすかった。このため、遊技者は、メダルを移し替えたメダル収容箱を、遊技店の床面上やスロットマシン上部の箱収容スペース内に置いた後、別のメダル収容箱に再度メダルを移し替える動作を繰り返し行わなければならず、この場合においても、移し替えに手間がかかるとともに、遊技を中断しなければならなかった。
【０００７】
さらに、いわゆるアシストタイム（ＡＴ）に当たった場合には、メダルが連続して排出されるため、遊技者は、メダル収容箱へのメダルの移し替えを頻繁に行わなければならなくなって、上述と同様に、移し替えに手間がかかるとともに、遊技を一旦中断しなければならなかった。特に、閉店間際に上記ＡＴのような役に当たった場合、遊技者にとっては、メダル収容箱にメダルを移し替えに費やす時間さえも惜しくなり、メダル受け皿からメダル収容箱へのメダルの移し替えを急いで、慌てて、床にメダルを落としたり、最悪の場合には、メダル収容箱を把持している手が滑って、メダル収容箱を床に落としたりすることもあった。
【０００８】
本発明は、メダル受け皿からメダル収容箱にメダルを移し替えやすくして、遊技者が遊技に集中できるようにした遊技機を提供することを目的としている。
【課題を解決するための手段】
【０００９】
請求項１に係る発明は、絵柄を描かれた回転可能な複数の回胴体（２１）と、該回胴体（２１）の回転によって前記絵柄が揃ったとき本体（１１）から排出されたメダルを受けるメダル受け皿（３１）とを備えた遊技機において、
前記メダル受け皿（３１）は、
底板（３４，１３４）、両側板（３５，３６）（１３５，１３６）及び前記メダルが排出される排出部（３８，１３８）を形成された前板（３７，１３７）と、
前記排出部（３８，１３８）を昇降開閉可能に前記前板（３７，１３７）に設けた開閉板（３９，４３，１３９）と、
前記開閉板（３９，４３，１３９）を上方に付勢する付勢手段（４０，１４０）と、
前記開閉板（３９，４３，１３９）に設けた前記メダルを収納するメダル収容箱が係止される被係止片（４１，４２，１４３）と、を備え、
前記開閉板（３９，４３，１３９）は、前記被係止片（４１，４２，１４３）に前記メダル収容箱が係止された状態で前記付勢手段（４０，１４０）に抗して下降し前記排出部（３８，１３８）を開口することを特徴とする遊技機（１０）である。
【００１０】
請求項２に係る発明は、前記被係止片（４２）が、前記開閉板（４３）の厚みの範囲内に設けた突片であることを特徴とする請求項１に記載の遊技機である。
【００１１】
請求項３に係る発明は、前記被係止片（１４３）が、前記前板（１３７）の前面に対して出没回転可能に設けた回動片（１４３）からなり、
前記開閉板（１３９）が上昇位置にいるとき前記回動片（１４３）を出没回転させることが可能な回動手段（１４４）と、
前記回動片（１４３）の突出状態を前記開閉板（１３９）の下降によって保持する保持手段（１４５）と、を備え、
前記開閉板（１３９）は、前記前板（１３７）の前面から突出した前記回動片（１４３）に前記メダル収容箱が係止された状態で前記付勢手段（１４０）に抗して下降し前記排出部（１３８）を開口することを特徴とする請求項１に記載の遊技機である。
【００１２】
請求項４に係る発明は、前記排出部（１３８）が、前記前板（１３７）の上端部に形成されていることを特徴とする請求項１ないし３のいずれか１項に記載の遊技機である。
【００１３】
なお、以上の括弧内の符号は、便宜的に、図面と対照し易くするために付したものであって、本発明の構成をなんら限定するものではない。
【発明の効果】
【００１４】
請求項１に係る遊技機は、被係止片にメダル収容箱を引っ掛けるようになっているので、遊技者がメダル収容箱を床に落とすことがなくなる。
【００１５】
また、メダル収容箱を被係止片に引っ掛けて、メダル受け皿からメダル収容箱にメダルを移すことができるので、メダル収容箱を一方の手で持って、他方の手でメダルを掻き出す必要がなくなり、メダルを両手で短時間に移し替えることができて、遊技の中断時間を短縮し、遊戯性を高めることができる。
【００１６】
さらに、メダルを、メダル受け皿の前板の排出部からメダル収容箱に掻き出すことができるようになっているので、メダルの移し替えが容易になって、速やかにメダルを移し替えることができる。
【００１７】
請求項２に係る遊技機は、被係止片を開閉板の厚みの範囲内に形成してあるので、非係止片が開閉板から突出して、邪魔になるようなことがなく、遊技性を損なうことがない。
【００１８】
請求項３に係る遊技機は、回動片を使用しないとき前板に対して没入するようになっているので、回動片が突出して邪魔になるようなことがなく、遊戯性を損なうことがない。
【００１９】
請求項４に係る遊技機は、排出部を前板の上端部に形成してあるので、メダルを排出部からメダル収容箱に簡単に、かつ短時間に移し替えることができ、遊技の中断時間を短縮し、遊戯性を高めることができる。
【発明を実施するための最良の形態】
【００２０】
以下、本発明の遊技機の実施形態として、遊技場に設置してあるスロットマシンを図１乃至図９に基づいて説明する。
【００２１】
図１は、本発明の遊技機の実施形態としてのスロットマシンの外観斜視図である。
【００２２】
（スロットマシンの構造の説明）
スロットマシン１０は、図１に示すように、本体１１と、本体１１の一方の側端に開閉自在に取り付けられて遊技者に面する前扉１２とを備えている。
【００２３】
前扉１２は、図１の上下方向における略中央部分に操作パネル１３を有し、操作パネル１３の上方及び下方に、液晶表示パネル１４及びメダル受け皿３１を夫々有している。メダル受け皿３１は、メダル排出口２２に対向する位置に設けてある。なお、本実施形態のスロットマシン１０は、第１実施形態のメダル受け皿３１の代わりに、第２実施形態のメダル受け皿１３１も設けられるようになっている。
【００２４】
液晶表示パネル１４の上方には、クレジット枚数、ベット（ＢＥＴ）枚数、及びメダルの排出状況等を表示する遊技状態表示部１５を設けてある。操作パネル１３には、上面にベットボタン１７及びメダル投入部１８を配置してあり、前面にスタートレバー１９及び３個のストップボタン３０を配置してある。なお、透過窓１６から液晶表示パネル１４内方に見える横３列の回胴リール２１は、回転、停止して現出する図柄等が透過窓１６を通して遊技者側から明確に視認されるようになっている。また、横３列の回胴リール２１の図柄が描いてある外周回転面が透過窓１６の裏面側に対向するように配置してある。なお、透過窓１６は、回胴リール２１を外部から確実に保護するように、透明な硬質プラスチック板などで形成されている。透過窓１６とメダル受け皿３１との間には、遊技の名称を表示した下部パネル２９を設けてある。
【００２５】
（スロットマシンの動作説明）
スロットマシン１０は、遊技者がメダル投入部１８にメダルを投入してスタートレバー１９を操作すると、横３列の回動体である回胴リール２１が各々回転を開始し、その後、遊技者が適宜のタイミングで３個のストップボタン３０を各々押すと、その押したタイミングに応じて、各ボタン３０に対応する回胴リール２１が順次停止して、各回胴リール２１に備えたシンボルマークの内、所定の絵柄同士が一致している場合に、「当たり」となって、多数枚の遊技メダル（以下、単に「メダル」とも言う）を排出口２２からメダル受け皿３１に排出する。
【００２６】
（第１実施形態のメダル受け皿の構造の説明）
図２は、第１実施形態のメダル受け皿の拡大図である。図３は、図２のメダル受け皿の前板部分の分解斜視図である。図４は、図２のＡ−Ａ矢視断面図である。（ａ）は、メダル受け箱を突片に引っ掛けていないときの状態図である。（ｂ）は、メダル受け箱を突片に引っ掛けたときの状態図である。図５は、第１実施形態のメダル受け皿において、他の形状の突片の図であり、図４に相当する図である。（ａ）は、メダル受け箱を突片に引っ掛けていないときの状態図である。（ｂ）は、メダル受け箱を突片に引っ掛けるときの状態図である。
【００２７】
第１実施形態のメダル受け皿３１は、図１ないし図５に示すように、底板３４、両側板３５，３６、及びメダルが排出される排出部３８を形成された前板３７と、排出部３８を昇降開閉可能に前板３７に設けた開閉板３９と、開閉板３９を上方に付勢する付勢手段である板ばね４０と、開閉板３９に設けたメダルを収納するメダル収容箱Ｄが係止される被係止片である１対の突片４１，４１と、を備えている。
【００２８】
なお、排出部３８の長さ（メダル受け皿３１の長手方向の長さ）は、メダル受け皿３１からメダル収容箱Ｄにメダルを移し替えるとき、メダルがこぼれないようにするため、メダル収容箱Ｄの長手方向の長さより短く設定してある。
【００２９】
前板３７の排出部３８の両側には、前板３７の昇降を案内する案内溝５０，５０を形成してある。また、排出部３８の下方には、開閉板３９の下部を受け入れる受け入れ溝５１を形成してある。案内溝５０，５０と受け入れ溝５１は連続して形成してある。
【００３０】
開閉板３９の両側には、１対の案内溝５０に係合する案内片５２，５２を形成してある。開閉板３９の下部には、受け入れ溝５１に進入する進入片５３を形成してある。進入片５３は、前板３７が上昇しても開閉板３９の下端と排出部３８との間に隙間が生じないように常時受け入れ溝５１に進入している。開閉板３９の下部には、取り付けピン５４によって、板ばね４０を設けてある。１対の案内溝５０の各上端には、開閉板３９が板ばね４０によって前板３７の上端から突出しないように、開閉板３９の案内片５２の上端を受け止めるストッパ５５を嵌め込んである。
【００３１】
（第１実施形態のメダル受け皿の使用手順の説明）
図２、図４（ａ）に示すように、通常、メダル受け皿３１の開閉板３９は、板ばね４０に上方に押されてストッパ５５に受け止められている。この場合の開閉板３９の上端と前板３７の上端は、同一面になっている。
【００３２】
メダル受け皿３１にメダルが排出されて、ある程度の枚数が溜まると、遊技者は、空のメダル収容箱Ｄを１対の突片４１に引っ掛ける（図４（ｂ）参照）。開閉板３９は、空のメダル収容箱Ｄが１対の突片４１に引っ掛けられたとき、あるいは、その後、メダル収容箱Ｄに何枚かのメダルが移されたとき、メダル収容箱の自重、あるいはメダル収容箱Ｄとメダルとの重みによって、板ばね４０に抗して下降して、排出部３８を開く。遊技者は、メダルをメダル受け皿３１から開閉板３９と前板３７の上端を越えて掻き出すようにしてメダル収容箱Ｄに移す。
【００３３】
メダル受け皿３１が空になり、メダル収容箱Ｄを突片４１から外すと、開閉板３９は板ばね４０によって上昇する。そして、開閉板３９の上端と前板３７の上端とが同一面になる。
【００３４】
なお、図５に示すメダル受け皿４４のように、被係止片である突片４２を、開閉板４３の厚みの範囲内に形成して、開閉板４３の前面４３ａから突出しないようにしてもよい。この場合、突片４２が開閉板４３の前面４３ａから突出していないので、遊技中、突片４２が邪魔になるようなことがなく、遊技性を損なうようなことがない。
【００３５】
したがって、本実施形態のスロットマシン１０は、１対の突片４１，４１（４２，４２）にメダル収容箱Ｄを引っ掛けるようになっているので、遊技者がメダル収容箱Ｄを床に落とすことがなくなる。
【００３６】
また、本実施形態のスロットマシン１０は、メダル収容箱Ｄを１対の突片４１，４１（４２，４２）に引っ掛けて、メダル受け皿３１（４４）からメダル収容箱Ｄにメダルを移すことができるので、メダル収容箱Ｄを一方の手で持って、他方の手でメダルを掻き出す必要がなくなり、メダルを両手で短時間に移し替えることができて、遊技の中断時間を短縮して、遊戯性を高めることができる。
【００３７】
さらに、本実施形態のスロットマシン１０は、メダルを、メダル受け皿３１（４４）の前板３７の切り欠かれた排出部３８からメダル収容箱Ｄに掻き出すことができるようになっているので、メダルの移し替えが容易になって、速やかにメダルを移し替えることができる。
【００３８】
また、排出部３８を前板３７の上端部に形成してあるので、メダルを排出部３８からメダル収容箱Ｄに簡単に、かつ短時間に移し替えることができ、遊技の中断時間を短縮し、遊戯性を高めることができる。
【００３９】
（第２実施形態のメダル受け皿の構造の説明）
図６は、第２実施形態のメダル受け皿の拡大図である。図７は、図６のメダル受け皿の前板部分の分解斜視図である。図８は、回動片と回転軸との斜視図である。（ａ）は、メダル受け箱を突片に引っ掛けていないときの状態図である。（ｂ）は、メダル受け箱を突片に引っ掛けるときの状態図である。図９は、図６のＢ−Ｂ矢視断面図である。（ａ）は、メダル受け箱を突片に引っ掛けていないときの状態図である。（ｂ）は、メダル受け箱を突片に引っ掛けたときの状態図である。
【００４０】
第２実施形態のメダル受け皿１３１は、図６ないし図９に示すように、底板１３４、両側板１３５，１３６、及びメダルが排出される排出部１３８を形成された前板１３７と、排出部１３８を昇降開閉可能に前板１３７に設けた開閉板１３９と、開閉板１３９を上方に付勢する付勢手段である板ばね１４０と、開閉板１３９に設けたメダルを収納するメダル収容箱Ｄが係止される被係止片である１対の回動片１４３，１４３と、開閉板１３９が上昇位置にいるとき回動片１４３を出没回転させることが可能な回動手段１４４と、及び回動片１４３の突出状態を開閉板１３９の下降によって保持する保持手段１４５等を備えている。
【００４１】
なお、排出部１３８の長さ（メダル受け皿１３１の長手方向の長さ）は、メダル受け皿３１からメダル収容箱Ｄにメダルを移し替えるとき、メダルがこぼれないようにするため、メダル収容箱Ｄの長手方向の長さより短く設定してある。
【００４２】
前板１３７の排出部１３８の両側には、前板１３７の昇降を案内する案内溝１５０，１５０を形成してある。また、排出部１３８の下方には、開閉板１３９の下部を受け入れる受け入れ溝１５１を形成してある。案内溝１５０，１５０と受け入れ溝１５１は連続して形成してある。
【００４３】
開閉板１３９の下部には、案内溝１５０に係合可能で、かつ受け入れ溝１５１に進入する進入片１５３を形成してある。進入片１５３は、前板１３７が上昇しても開閉板１３９の下端と排出部１３８との間に隙間が生じないように常時受け入れ溝５１に進入している。開閉板１３９の下部には、取り付けピン１５４によって、板ばね１４０を設けてある。
【００４４】
開閉板１３９の左右方向（長手方向）に沿って形成した貫通孔１５４には、回転軸１５２を回転自在に貫通してある。回転軸１５２は、図８に示すように、丸軸の長手方向に沿って両側をカットしてカット面１５２ａ，１５２ａを形成してある断面ほぼ楕円状の軸である。回転軸１５２には、回動片１４３を一体に設けてある。回動片１４３は、図７に示すように、開閉板１３９の両側に位置している。回転軸１５２の一端は、図６に示すように、メダル受け皿１３１の右側板１３６から外部に突出してつまみ１５６を設けられている。
【００４５】
図７、図８に示すように、前板１３７には、回転止め溝１５５を縦に形成してある。回転止め溝１５５は、図８（ｂ）に示すように、回転軸１５２が回転させられてカット面１５２ａが縦になったとき回転軸１５２を受け入れて、回転軸１５２の回転を阻止するようになっている。
【００４６】
回転止め溝１５５の各上端には、開閉板１３９が板ばね１４０によって前板１３７の上端から突出しないように、回転軸１５２を受け止めるストッパ１５７，１５７を嵌め込んである。回転止め溝１５５とストッパ１５７との間には、回転軸１５２が自由に回転できる待機領域としても待機溝１５８（図７、図９参照）を形成してある。
【００４７】
以上の構成において、回転軸１５２等は、回動手段１４４を構成している。回転軸１５２のカット面１５２ａと、回転止め溝１５５等は、保持手段１４５を構成している。
【００４８】
（第２実施形態のメダル受け皿の使用手順の説明）
通常、メダル受け皿３１の開閉板３９は、板ばね４０に上方に押されて、回転軸１５２がストッパ５５に受け止められて、抜け止めされている。この場合の開閉板３９の上端と前板３７の上端は、同一面になっている。また、回動片１４３は、開閉版１３９と前板１３７との前面１３９ａ，１３７ａからまだ突出していない。
【００４９】
メダル受け皿１３１にメダルが排出されて、ある程度の枚数が溜まると、遊技者は、つまみ１５６を回転させて、図９（ｂ）に示すように回動片１４３を前面１３９ａ，１３７ａに対して約９０度の角度に突出させる。つまみ１５６を回転させたとき、回転軸１５２も回転して回転軸１５２のカット面１５２ａが縦になる。このため、回転軸１５２は、回転止め溝１５５に進入して、回動片１４３と開閉板１３９と一体に下降できる状態になる。なお、回転軸１５２は、開閉板１３９と一体に下降するようになっているので、回転軸１５２の下降を許容する不図示の長孔が右側板１３６に形成してある。
【００５０】
開閉板１３９は、空のメダル収容箱Ｄが１対の回動片１４３に引っ掛けられたとき、あるいは、その後、メダル収容箱Ｄに何枚かのメダルが移されたとき、メダル収容箱の自重、あるいはメダル収容箱Ｄとメダルとの重みによって、板ばね１４０に抗して下降して、排出部１３８を開く。
【００５１】
メダル収容箱Ｄにメダルが移されてメダル収容箱Ｄが重くなっていくが、回動片１４３は、メダル収容箱Ｄの重みによって下方に回転することなく、メダル収容箱Ｄを支持している。すなわち、開閉板１３９が下降したとき、カット面１５２ａが縦になっている回転軸１５２も一体に下降して、回転軸１５２が回転止め溝１５５に進入し、カット面１５２ａと回転止め溝１５５とによって回転止めされているので、回転軸１５２と一体の回動片１４３も回転することなく、突出したままで、メダル収容箱Ｄを支持している。
【００５２】
その後、遊技者は、メダルをメダル受け皿１３１から開閉板１３９と前板１３７の上端を越えて掻き出すようにしてメダル収容箱Ｄに移す。
【００５３】
メダル受け皿１３１が空になり、メダル収容箱Ｄを回動片１４３から外すと、開閉板１３９は板ばね１４０によって上昇する。そして、開閉板１３９の上端と前板１３７の上端とが同一面になる。開閉板１３９が上昇すると、回転軸１５２も一体に上昇して、回転軸１５２が回転止め溝１５５から抜け出てる。回転軸１５２は待機溝１５８に位置して回転自在な状態になる。すると、回動片１４３が自重によって下方に回転して開閉版１３９と前板１３７との前面１３９ａ，１３７ａに没入する。このとき、回転軸１５２も回転して、カット面１５２ａが水平になる。
【００５４】
したがって、本実施形態のスロットマシンは、第１実施形態のメダル受け皿を備えている場合と同様な利点を有している他に、係止片である回動片１４３を使用しないとき、回動片１４３が前板１３７の前面１３７ａと開閉板１３９の前面１３９ａとに没入するようになっているので、遊技中、回動片１４３が邪魔になるようなことがなく、遊戯性を損なうことがない。
【図面の簡単な説明】
【００５５】
【図１】本発明の遊技機の実施形態としてのスロットマシンの外観斜視図である。
【図２】第１実施形態のメダル受け皿の拡大図である。
【図３】図２のメダル受け皿の前板部分の分解斜視図である。
【図４】図２のＡ−Ａ矢視断面図である。（ａ）は、メダル受け箱を突片に引っ掛けていないときの状態図である。（ｂ）は、メダル受け箱を突片に引っ掛けたときの状態図である。
【図５】第１実施形態のメダル受け皿において、他の形態の突片の図であり、図４に相当する図である。（ａ）は、メダル受け箱を突片に引っ掛けていないときの状態図である。（ｂ）は、メダル受け箱を突片に引っ掛けたときの状態図である。
【図６】第２実施形態のメダル受け皿の拡大図である。
【図７】図６のメダル受け皿の前板部分の分解斜視図である。
【図８】回動片と回転軸との斜視図である。（ａ）は、メダル受け箱を突片に引っ掛けていないときの状態図である。（ｂ）は、メダル受け箱を突片に引っ掛けたときの状態図である。
【図９】図６のＢ−Ｂ矢視断面図である。（ａ）は、メダル受け箱を突片に引っ掛けていないときの状態図である。（ｂ）は、メダル受け箱を突片に引っ掛けたときの状態図である。
【符号の説明】
【００５６】
１０      スロットマシン（遊技機）
１１      本体
２１      回胴リール（回胴体）
２２      排出口
３１      メダル受け皿
３４      底板
３５      左側板
３６      右側板
３７      前板
３８      排出部
３９      開閉板
４０      板ばね（付勢手段）
４１      突片（被係止片）
４２      突片（被係止片）
４３      開閉板
４３ａ    前面
４４      メダル受け皿
１３１      メダル受け皿
１３４      底板
１３５      左側板
１３６      右側板
１３７      前板
１３８      排出部
１３９      開閉板
１４０      板ばね（付勢手段）
１４３      回動片（被係止片）
１４４      回動手段
１４５      保持手段
１５１      受け入れ溝
１５２      回転軸
１５２ａ    カット面
１５５      回転止め溝
１５８      待機溝
【図１】
2005211156.tif 000003
【図２】
2005211156.tif 000004
【図３】
2005211156.tif 000005
【図４】
2005211156.tif 000006
【図５】
2005211156.tif 000007
【図６】
2005211156.tif 000008
【図７】
2005211156.tif 000009
【図８】
2005211156.tif 000010
【図９】
2005211156.tif 000011